(57)【要約】【課題】ユーザが、字幕等の文字情報を参照することによって、番組の内容をよりよく理解できるようにする。【解決手段】映像認識部１０６は、映像ストリームから生成される映像信号に基づいて、画面の切り替わりを検出する。字幕処理部１０７は、字幕の文字列を示す字幕文字列情報を取得する。文字列生成部１０８は、映像認識部１０６によって画面の切り替わりが検出された場合に、画面の切り替わりがあることを示す画面切り替え情報を、字幕処理部１０７によって取得された字幕文字列情報と関連づけて出力する。【選択図】図１
2008172439.tif 000002
【特許請求の範囲】
【請求項１】
デジタルコンテンツに含まれる字幕ストリームおよび映像ストリームを処理するデジタルコンテンツ処理装置であって、
映像ストリームから生成される映像信号に基づいて、画面の切り替わりを検出する映像認識部と、
上記字幕ストリームから、字幕の文字列を示す字幕文字列情報を取得する字幕処理部と、
上記映像認識部によって画面の切り替わりが検出された場合に、画面の切り替わりがあることを示す画面切り替え情報を、上記字幕処理部によって取得された字幕文字列情報と関連づけて出力する出力部を備えていることを特徴とするデジタルコンテンツ処理装置。
【請求項２】
請求項１のデジタルコンテンツ処理装置において、
上記出力部は、関連付けた画面切り替え情報および字幕文字列情報として、上記字幕文字列情報によって示される文字列に画面の切り替わりがあることを示す文字列を付した文字列を示す文字列情報を出力するように構成されていることを特徴とするデジタルコンテンツ処理装置。
【請求項３】
請求項２のデジタルコンテンツ処理装置において、
上記字幕ストリーム、および上記出力部によって出力される文字列情報は、同じデータ形式であることを特徴とするデジタルコンテンツ処理装置。
【請求項４】
請求項１のデジタルコンテンツ処理装置において、さらに、
上記出力部によって関連づけて出力された画面切り替え情報および字幕文字列情報を記憶部に記録する記録部を備えていることを特徴とするデジタルコンテンツ処理装置。
【請求項５】
請求項１のデジタルコンテンツ処理装置において、さらに、
上記出力部によって関連づけて出力された画面切り替え情報および字幕文字列情報に基づいて、字幕の文字列と画面の切り替わりがあることを示す文字列とを表示部に表示させる再生部を備えていることを特徴とするデジタルコンテンツ処理装置。
【請求項６】
請求項１のデジタルコンテンツ処理装置において、さらに、
デジタルテレビジョン放送の信号波を受信するチューナ部を備え、
上記デジタルコンテンツは、上記信号波から得られたものであることを特徴とするデジタルコンテンツ処理装置。
【発明の詳細な説明】
【技術分野】
【０００１】
本発明は、例えば、テレビやラジオ等の放送波等に含まれる文字情報を処理する装置に関し、より詳しくは、例えば、画面の切り替わりを示す画面切り替え情報を字幕の付加情報として出力することにより、番組内容の理解を補助する技術に関する。
【背景技術】
【０００２】
地上デジタル放送が開始され、字幕サービスの普及が進んでいる。字幕サービスによると、出演者が喋った言葉が文字列としてテレビジョン受信機等に表示される。地上デジタル放送では、出演者の話した内容の殆ど全てが字幕として表示される。字幕データは、音声データおよび映像データと比較して、記録に必要な容量が少ないという利点がある。例えば、出演者の話した内容を表す字幕データと、その内容を話す出演者の音声を表す音声データとを比較すると、字幕データの方が音声データよりもデータ量が小さく、小さい記憶容量で保存できる。また、字幕データは、適当な文字コード形式で保存することにより、処理能力の低い機器でも利用しやすくしたり、再利用しやすくできる。
【０００３】
特許文献１に記載された字幕処理装置は、字幕を文字コード（符号）形式で表したテキスト情報を内部に保存するようになっている。そして、保存したテキスト情報を、ユーザーによるリモコン操作等に応じていつでもテレビモニタ等に出力できるようになっている。
【特許文献１】特開２００３−７８８８９号公報
【特許文献２】特開２００３−１８４９１号公報
【発明の開示】
【発明が解決しようとする課題】
【０００４】
しかしながら、上記特許文献１の字幕処理装置によって複数画面分の字幕の文字情報が記録され、字幕だけがテレビモニタ等に出力されても、ユーザは、字幕同士の意味の繋がり、会話の切れ目、および話題の切り替わりを認識しにくく、番組の内容を理解することが難しい。
【０００５】
本発明は、上記の点に鑑み、ユーザが、字幕等の文字情報を参照することによって、番組の内容をよりよく理解できるようにすることを目的とする。
【課題を解決するための手段】
【０００６】
上記の課題を解決するため、第１の発明は、
デジタルコンテンツに含まれる字幕ストリームおよび映像ストリームを処理するデジタルコンテンツ処理装置であって、
映像ストリームから生成される映像信号に基づいて、画面の切り替わりを検出する映像認識部と、
上記字幕ストリームから、字幕の文字列を示す字幕文字列情報を取得する字幕処理部と、
上記映像認識部によって画面の切り替わりが検出された場合に、画面の切り替わりがあることを示す画面切り替え情報を、上記字幕処理部によって取得された字幕文字列情報と関連づけて出力する出力部を備えていることを特徴とする。
【０００７】
第１の発明によると、出力部が、画面の切り替わりがあることを示す画面切り替え情報を、字幕文字列情報と関連付けて出力するので、表示装置等が、画面切り替え情報が出力されるのに応じて、画面の切り替わりがあることを示す文字列または映像を、字幕の文字列とともに容易に表示できる。ユーザは、画面の切り替わりがあることを示す文字列または映像が表示されるのを視認等することによって、字幕同士の意味の繋がり、会話の切れ目、および話題の切り替わりをよりよく認識できるようになる。
【０００８】
また、第２の発明は、
第１のデジタルコンテンツ処理装置であって、
上記出力部は、関連付けた画面切り替え情報および字幕文字列情報として、上記字幕文字列情報によって示される文字列に画面の切り替わりがあることを示す文字列を付した文字列を示す文字列情報を出力するように構成されていることを特徴とする。
【０００９】
第２の発明によると、出力部が、字幕の字幕文字列情報によって示される文字列に画面の切り替わりがあることを示す文字列を付した文字列を示す文字列情報を出力するので、表示装置等が、画面の切り替わりがあることを示す文字列を字幕と文字列とともに容易に表示できる。
【００１０】
また、第３の発明は、
第２のデジタルコンテンツ処理装置において、
上記字幕ストリーム、および上記出力部によって出力される文字列情報は、同じデータ形式であることを特徴とする。
【００１１】
第３の発明によると、出力部によって出力される文字列情報は、字幕ストリームと同じデータ形式なので、字幕ストリームを処理可能な再生装置を用いて再生できる。
【００１２】
また、第４の発明は、
第１のデジタルコンテンツ処理装置において、さらに、
上記出力部によって関連づけて出力された画面切り替え情報および字幕文字列情報を記憶部に記録する記録部を備えていることを特徴とする。
【００１３】
第４の発明によると、記憶部には、画面切り替え情報および字幕文字列情報が記録されるので、表示装置等が、記憶部に記録された情報を読み出すことによって、画面の切り替わりがあることを示す文字列または映像を、字幕の文字列とともに容易に表示できる。
【００１４】
また、第５の発明は、
第１のデジタルコンテンツ処理装置において、さらに、
上記出力部によって関連づけて出力された画面切り替え情報および字幕文字列情報に基づいて、字幕の文字列と画面の切り替わりがあることを示す文字列とを表示部に表示させる再生部を備えていることを特徴とする。
【００１５】
第５の発明によると、再生部が、字幕の文字列と画面の切り替わりがあることを示す文字列とを表示部に表示させるので、ユーザは、画面の切り替わりがあることを示す文字列または映像が表示されるのを視認等することによって、字幕同士の意味の繋がり、会話の切れ目、および話題の切り替わりをよりよく認識できるようになる。
【００１６】
また、第６の発明は、
第１のデジタルコンテンツ処理装置において、さらに、
デジタルテレビジョン放送の信号波を受信するチューナ部を備え、
上記デジタルコンテンツは、上記信号波から得られたものであることを特徴とする。
【００１７】
第６の発明によると、映像認識部は、信号波から得られたデジタルコンテンツに含まれる映像ストリームから生成される映像信号に基づいて、画面の切り替わりを検出できる。字幕処理部は、信号波から得られたデジタルコンテンツに含まれる字幕ストリームから、字幕文字列情報を取得できる。
【発明の効果】
【００１８】
本発明によると、デジタルコンテンツ処理装置によって、画面の切り替わりがあることを示す画面切り替え情報が字幕文字列情報と関連づけて出力されるので、画面の切り替わりをユーザに明示することが容易になる。画面の切り替わりがユーザに明示されることにより、ユーザは、字幕等の文字情報を参照することによって、番組の内容をよりよく理解できるようになる。
【発明を実施するための最良の形態】
【００１９】
以下、本発明の実施形態について、図面を参照して説明する。なお、以下の各実施形態において、他の実施形態と同様の機能を有する構成要素については同一の符号を付して説明を省略する。
【００２０】
《実施形態１》
本発明の実施形態１に係るデジタルコンテンツ処理装置は、図１に示すように、アンテナ１０１、チューナ部１０２、復調部１０３、トランスポートデコード部１０４、映像処理部１０５、映像認識部１０６、字幕処理部１０７、文字列生成部１０８、記録部１０９、記憶部１１０、再生部１１１および表示部１１２を備えている。
【００２１】
アンテナ１０１は、地上デジタルテレビジョン放送の信号波を受信する。具体的には、アンテナ１０１は、ホイップ（ロッド）アンテナ、ダイポールアンテナ、八木・宇田アンテナ、パラボラアンテナ、ループアンテナ、または誘電体アンテナ等である。
【００２２】
チューナ部１０２は、アンテナ１０１によって受信された放送波を、指定されたチャンネルに対応する周波数に同調させることにより、選局を行う。
【００２３】
復調部１０３は、指定されたチャンネルを通じて受信された信号を、デジタルストリームデータ、具体的には、トランスポートストリーム（ＴＳ）（デジタルコンテンツ）に復調する。当該ＴＳは、映像、音声、字幕、およびセクション情報等のデータが多重化されたものである。
【００２４】
トランスポートデコード部１０４は復調されたデジタルストリームを解析して、オーディオ、映像（ビデオ）、字幕、およびセクション情報等について、それぞれのＰＥＳ（Packetized Elementary Stream、パケッタイズドエレメンタリーストリーム）を構築する。構築された映像ＰＥＳ（ビデオＰＥＳ）は映像処理部１０５に供給され、字幕ＰＥＳは字幕処理部１０７に供給される。
【００２５】
映像処理部１０５は入力された映像ＰＥＳ（映像ストリーム）からＹＵＢやＲＧＢフォーマットの映像信号を生成する。映像処理部１０５によって生成された映像信号は映像認識部１０６に入力される。映像認識部１０６に入力されるタイミングは、映像ＰＥＳに含まれる時間情報に従う。
【００２６】
映像認識部１０６は、映像処理部１０５によって生成された映像信号に基づいて、画面の切り替わりを検出する。より詳しくは、まず、ブロックマッチング法やオーバーラップ動き検出法等の動き検出アルゴリズムを用いて、連続する複数画像の差分を検出する。そして、画面中央部に多くの差分が発生しており、一定方向に移動している場合には、被写体が動いていると判定する。また、画面の全体に渡って一定方向に移動している場合には、カメラがパンやチルトなどの首振り動作をしていると判定する。さらに、連続する２つの画像の差分が大きい場合には、画面の切り替わりであると判定する。そして、検出結果、すなわち、画面の切り替わりの有無に応じて、画面切り替えフラグをセットする。具体的には、画面の切り替わりを検出した場合には、画面切り替えフラグをセットし、そうでない場合には、画面切り替えフラグをセットしない。
【００２７】
字幕処理部１０７は、トランスポートデコード部１０４から出力された字幕ＰＥＳ（字幕ストリーム）を解析し、字幕の文字列を示す字幕文字列情報を取得して出力する。出力するタイミングは、字幕ＰＥＳに含まれる時間情報に従う。
【００２８】
文字列生成部１０８（出力部）は、画面切り替えフラグの状態に基づいて、画面の切り替わりの発生有無を確認し、画面の切り替わりがあった場合（映像認識部１０６によって画面の切り替わりが検出された場合）には、字幕処理部１０７によって出力された字幕文字列情報によって示される文字列の後ろに画面が切り替わった旨（画面の切り替わりがあること）を示す文字列を付した（追加した）文字列をＪＩＳコード形式で示す文字列情報を記録部１０９に出力する。一方、画面の切り替わりがなかった場合には、字幕処理部１０７によって出力された字幕文字列情報を変更することなく記録部１０９に出力する。
【００２９】
より詳しくは、映像認識部１０６は、画面の切り替わりを検出した場合、画面切り替えフラグをセットするとともに、画面の切り替わりの直前の映像フレームの時間情報を取得し、保持する。そして、文字列生成部１０８は、映像認識部１０６によって保持されている時間情報で示される時刻よりも後の時刻を示す時間情報を有する字幕文字列情報が字幕処理部１０７から入力されると、その字幕文字列情報によって示される文字列の後ろに画面が切り替わった旨を示す文字列を付した文字列の文字列情報を出力する。出力された文字列情報は、画面が切り替わる時刻の近辺に表示される字幕の文字列の後ろに、画面が切り替わった旨を示す文字列を付した文字列を示すものとなる。なお、この方法は一例であり、他の方法によって、画面が切り替わる時刻の近辺に表示される字幕の字幕文字列情報と、画面が切り替わった旨を示す情報とが関連付けられるようにしてもよい。
【００３０】
記録部１０９は、文字列生成部１０８によって出力された文字列情報を記憶部１１０に順次記録する。記憶部１１０は、メモリカード、光ディスク、磁気ディスク等の記録媒体、これら記録媒体を備えた機器、有線又は無線ネットワーク等で実現される。
【００３１】
再生部１１１は、ユーザからの再生指示により、記憶部１１０に記憶された文字列情報を読み出し、読み出した文字列情報に基づいて、字幕の文字列と画面が切り替わった旨を示す文字列とを表示部１１２に表示させるようになっている。
【００３２】
表示部１１２は、文字列を表示するようになっている。表示部１１２は、ＣＲＴ（Cathod Ray Tube display）、ＬＣＤ（Liquid Crystal Display）、ＰＤＰ（Plasma Display Panel）、有機ＥＬ（Electroluminescence display）等の表示デバイスとそのインタフェースとから構成される。
【００３３】
次に、図２を用いて、本発明のデジタルコンテンツ処理装置による字幕情報の記録動作について説明する。
【００３４】
（Ｓ１００１）チューナ部１０２は、ユーザからの指示により、アンテナ１０１によって受信されたデジタルテレビジョン放送の放送波を、視聴対象のチャンネルに同調させ、そのチャンネルのテレビ放送信号を受信する。
【００３５】
（Ｓ１００２）チューナ部１０２によって受信されたテレビ放送信号は、復調部１０３により、デジタルストリームに復調される。
【００３６】
（Ｓ１００３）復調されたデジタルストリームは、トランスポートデコード部１０４によって、映像、音声、字幕、およびセクション情報等の各トランスポートストリームに分離される。分離された各トランスポートストリームはパケット化され、映像、音声、字幕、およびセクション情報等の各ＰＥＳが構築される。
【００３７】
構築された各ＰＥＳは、映像処理部１０５、字幕処理部１０７、または図示しない音声処理部に入力される。
【００３８】
（Ｓ１００４）映像処理部１０５は、トランスポートデコード部１０４から字幕ＰＥＳが入力されると以下の動作を開始する。映像処理部１０５に入力された映像ＰＥＳのペイロード部分には、複数のフレーム分の画像が含まれている。映像処理部１０５は、複数フレーム分の画像が含まれた映像ＰＥＳを１フレーム単位に分割する。次に、映像ＰＥＳのヘッダ部分に含まれる時間情報と、各フレームに含まれる時間情報を解析し、それぞれのフレームをデコードすべき時刻を示す時刻情報を得る。映像処理部１０５は、得られた時刻情報に従って、各フレームをＹＵＶやＲＧＢ等の映像信号フォーマットに変換し、図示しないメモリに記録する。
【００３９】
（Ｓ１００５）図示しないメモリに記録された映像信号は、映像認識部１０６によって処理される。映像認識部１０６は、連続する２つの映像の映像信号を比較し、２つの映像の映像信号が大きく異なるか否か、すなわち、画面の切り替え、チルトやパンなどの画面の大きな動きが発生しているか否かを判定する。画面の切り替えが発生していた場合には（Ｓ１００６）に進み、そうでない場合には（Ｓ１００４）に戻り、新たな映像ＰＥＳが映像処理部１０５に入力されるのを待つ。
【００４０】
（Ｓ１００６）画面切り替え通知フラグをセットすることにより、文字列生成部１０８に画面切り替えが発生したことを伝達する。
【００４１】
（Ｓ１００７）字幕処理部１０７は、トランスポートデコード部１０４から字幕ＰＥＳが入力されると動作を開始する。したがって、映像処理部１０５と字幕処理部１０７は平行または並列に動作する。
【００４２】
字幕処理部１０７は、まず字幕ＰＥＳのヘッダ部分に含まれる時間情報を解析して、字幕をデコードすべき時刻を示す時刻情報を取得する。この時刻情報を取得するために、必要に応じてペイロード部分に含まれる時間情報をも解析する。
【００４３】
（Ｓ１００８）次に、字幕処理部１０７は、入力された字幕ＰＥＳのペイロード部分を解析し、字幕を１文字毎にＪＩＳコード形式に変換し、字幕文字列情報を生成する。
【００４４】
（Ｓ１００９）文字列生成部１０８は、映像認識部１０６によってセットされた画面切り替え通知フラグと字幕処理部１０７によって生成された字幕文字列情報とを入力として動作する。まず、映像認識部１０６によって画面切り替え通知フラグがセットされているか否かを判定する。セットされている場合には（Ｓ１０１０）に進み、セットされていない場合には（Ｓ１０１２）に進む。
【００４５】
（Ｓ１０１０）文字列生成部１０８は、画面切り替え通知フラグをリセットする。
【００４６】
（Ｓ１０１１）文字列生成部１０８は、字幕処理部１０７から入力された字幕文字列情報によって示される文字列の後ろに、画面が切り替わった旨を示す文字列、例えば、“＜画面が切り替わりました＞”といった文字列を付した文字列をＪＩＳコード形式で示す文字列情報を記録部１０９へ出力する。
【００４７】
（Ｓ１０１２）文字列生成部１０８は、字幕処理部１０７から入力された字幕文字列情報をそのまま、記録部１０９へ出力する。
【００４８】
（Ｓ１０１３）記録部１０９は、文字列生成部１０８によって出力された文字列情報を記憶部１１０（記憶装置）に順次記録する。
【００４９】
文字列情報が記憶部１１０に記録されることにより、ユーザは、図示しないボタン、キーボード、タッチパネルなどのマンマシンインタフェースを介して、記憶部１１０に保存された文字列情報に基づく文字列を表示部１１２に表示させることができるようになる。より詳しくは、再生部１１１が、ユーザによる入力に応じて、記憶部１１０に保存された文字列情報を読み出し、字幕の文字列と画面が切り替わった旨を示す文字列とを表示部１１２に表示させることができるようになる。
【００５０】
例えば、「馬鹿！馬鹿！貴方なんか嫌いよ！」という字幕が表示された後に、画面が切り替わり、「綺麗ですね。空気が清々しい」という字幕が表示される場合、文字列生成部１０８は、“馬鹿！馬鹿！貴方なんか嫌いよ！”という文字列の後に、例えば、“＜画面が切り替わりました＞”という文字列を付した文字列を示す文字列情報を出力する。そして、表示部１１２の表示画面は、例えば、図３に示すようになる。
【００５１】
また、本実施形態において、字幕処理部１０７および文字列生成部１０８によって出力される文字列情報は、ＪＩＳコード形式であった。しかし、ＪＩＳコード形式に限らず、シフトＪＩＳコード、ＥＵＣコード、またはＵｎｉｃｏｄｅ等の他の文字コード形式であってもよい。例えば、字幕処理部１０７は、字幕が８単位符号を用いてコード化された地上デジタル放送の字幕情報を、字幕をＪＩＳコード形式で表す字幕文字列情報に変換するようになっている。しかし、このような変換が行われずに字幕文字列情報が８単位符号の形式のままで出力され、文字列生成部１０８も８単位符号の形式の文字列情報を出力するようにしてもよい。また、字幕処理部１０７が、ＪＩＳコード形式への変換に代えて、シフトＪＩＳコード、日本語ＥＵＣコード、またはＵｎｉｃｏｄｅ等の他の文字コード形式への変換を行うことによって字幕文字列情報を生成し、文字列生成部１０８が、字幕処理部１０７によって生成された字幕文字列情報と同じ文字コード形式の文字列情報を出力するようにしてもよい。さらに、字幕処理部１０７および文字列生成部１０８によって出力される文字列情報は、その情報に基づいて字幕の文字列および画面の切り替わりの有無を示す情報を表示装置等に表示さえできれば、文字コード形式以外のデータ形式であってもよい。
【００５２】
《実施形態２》
本発明の実施形態２に係るデジタルコンテンツ処理装置においては、記憶部１１０に保存されるデータ形式を改良するために、図４に示すように、実施形態１の字幕情報処理装置の字幕処理部１０７および文字列生成部１０８に代えて、字幕処理部２０１および字幕生成部２０２を備えている。
【００５３】
字幕処理部２０１は、トランスポートデコード部１０４から出力された字幕ＰＥＳに含まれるヘッダ情報、ペイロードに含まれる字幕の文字列を示す字幕文字列情報、制御情報の３項目を出力する。これら３項目の情報は字幕ＰＥＳを構成する全ての情報である。
【００５４】
字幕生成部２０２（出力部）は、前記３項目と映像認識部１０６によってセットされる画面切り替えフラグの状態を示す信号とを入力として動作する。字幕生成部２０２は、画面切り替えフラグがセットされていた場合には、画面が切り替わった旨（画面の切り替わりがあること）を示す文字列、例えば“＜画面が切り替わりました＞”といった文字列を、字幕処理部２０１から入力された字幕文字列情報によって示される文字列の後ろに追加した文字列を示す文字列情報を生成する。そして、生成した文字列情報、並びに入力されたヘッダ情報および制御情報に基づいて、字幕ＰＥＳ（関連付けられた画面切り替え情報および字幕文字列情報）を構築する。一方、画面切り替えフラグがセットされていない場合には、なんら特別な文字列を追加した文字列の文字列情報を生成することなく、字幕処理部２０１から入力された３項目、すなわち、ヘッダ情報、字幕文字列情報、および制御情報を利用して、字幕ＰＥＳを構築する。
【００５５】
字幕生成部２０２によって構築された字幕ＰＥＳは、記録部１０９に渡され、記録部１０９によって記憶部１１０に順次記録される。
【００５６】
この場合、記憶部１１０には字幕ＰＥＳが記録されるので、記憶部１１０に保存された情報を読み出すことにより、字幕の文字列および画面が切り替わった旨を示す文字列を、一般的な字幕ＰＥＳを処理可能な再生部１１１（再生装置等）を用いて表示できる。したがって、デジタルコンテンツ処理装置の汎用性および再利用性が向上する。また、文字色の設定やフラッシュを指定することが可能なので、多彩な表現が可能である。
【００５７】
さらに、記憶部１１０に、ＰＡＴ（Program Association Table）、ＰＭＴ（Program Map Table）等のセクション情報を保存することにより、より一般的なテレビ受信機で文字列を再生できるようにしてもよい。
【００５８】
《その他の実施形態》
なお、実施形態１において、記録部１０９および記憶部１１０を設けずに、再生部１１１が、文字列情報を文字列生成部１０８から直接受けとり、字幕の文字列と画面が切り替わった旨を示す文字列を表示部１１２に表示させるようにしてもよい。同様に、実施形態２においても、記録部１０９および記憶部１１０を設けずに、再生部１１１が、字幕ＰＥＳを字幕生成部２０２から直接受けとり、字幕の文字列と画面が切り替わった旨を示す文字列を表示部１１２に表示させるようにしてもよい。
【００５９】
また、実施形態１、２のデジタルコンテンツ処理装置において、文字列を表示部１１２に表示させる代わりに、記憶部１１０に記録された文字列情報または字幕ＰＥＳが外部に取り出されるようにしてもよい。この場合には、記憶部１１０そのものが取り外されるようにしてもよいし、記憶部１１０とは別の記憶装置が接続され、そこに記憶部１１０に記録された文字列情報または字幕ＰＥＳが移動、またはコピーされるようにしてもよい。
【００６０】
また、実施形態１、２のデジタルコンテンツ処理装置では、受信したデジタルテレビジョン放送の信号波から得られる字幕ＰＥＳおよび映像ＰＥＳに対して映像処理部１０５および字幕処理部１０７、２０１が処理を行うようになっていた。しかし、アンテナ１０１、チューナ部１０２および復調部１０３を設けずに、記録媒体から、トランスポートストリームが読み出され、読み出されたトランスポートストリームから得られた字幕ＰＥＳおよび映像ＰＥＳに対して処理が行われるようにしてもよい。つまり、本発明は、信号波を受信する機能を持たない再生装置にも適用できる。
【００６１】
また、表示部１１２の表示が、頭出しに用いられるようにしてもよい。つまり、表示部１１２に表示された字幕がユーザによって指定されること等により、その字幕に対応する映像および音声が出力されるようにしてもよい。
【００６２】
また、実施形態１において、文字列生成部１０８は、字幕処理部１０７によって出力された字幕文字列情報によって示される文字列に画面が切り替わった旨を示す文字列を付した文字列の文字列情報を出力し、この文字列情報が記憶部１１０に記録されるようになっていた。しかし、文字列生成部１０８が、このような文字列情報に代えて、画面が切り替わる場合にはハイレベルとなり、画面が切り替わらない場合にはローレベルになる信号等の、画面が切り替わるかどうかを示す情報（画面切り替え情報）と、字幕処理部１０７によって出力された当該字幕の字幕文字列情報とを関連付けて出力し、記憶部１１０に、画面が切り替わるかどうかを示す情報と字幕文字列情報とが記録されるようにしてもよい。この場合、記憶部１１０からこれらの情報を読み出すことによって、字幕文字列情報によって示される字幕の文字列とともに、画面が切り替わった旨を示す文字列または映像を表示部等に容易に表示できる。
【００６３】
また、実施形態１において、文字列生成部１０８は、画面が切り替わった旨を示す文字列を、字幕文字列情報によって示される文字列の後ろに追加した文字列を示す文字列情報を出力するようになっていた。しかし、画面が切り替わった旨を示す文字列を、字幕文字列情報によって示される文字列の前に追加した文字列の文字列情報を出力するようにしてもよい。同様に、実施形態２においても、字幕生成部２０２が、画面が切り替わった旨を示す文字列を、字幕文字列情報によって示される文字列の後ろではなく前に追加した文字列を示す文字列情報を生成するようにしてもよい。
【００６４】
また、実施形態１において、所定の記号を示す情報が、字幕処理部１０７によって出力された字幕文字列情報に付され、表示部１１２が、画面が切り替わった旨を示す文字列に代えて、所定の記号を、字幕の文字列と共に表示するようにしてもよい。
【産業上の利用可能性】
【００６５】
本発明に係るデジタルコンテンツ処理装置は、ユーザが字幕等の文字情報を参照することによって、番組の内容をよりよく理解できるようになるという効果を有し、テレビやラジオ等の放送波に含まれる文字情報を処理する装置等として有用である。
【図面の簡単な説明】
【００６６】
【図１】本発明の実施形態１に係るデジタルコンテンツ処理装置の構成を示すブロック図である。
【図２】同、デジタルコンテンツ処理装置の動作を示すフローチャートである。
【図３】同、表示部１１２の表示画面の例を示す説明図である。
【図４】本発明の実施形態２に係るデジタルコンテンツ処理装置の構成を示すブロック図である。
【符号の説明】
【００６７】
１０１      アンテナ 
１０２      チューナ部 
１０３      復調部 
１０４      トランスポートデコード部 
１０５      映像処理部 
１０６      映像認識部 
１０７      字幕処理部 
１０８      文字列生成部（出力部） 
１０９      記録部 
１１０      記憶部 
１１１      再生部 
１１２      表示部 
２０１      字幕処理部 
２０２      字幕生成部（出力部） 
【図１】
2008172439.tif 000003
【図２】
2008172439.tif 000004
【図３】
2008172439.tif 000005
【図４】
2008172439.tif 000006